(57)【要約】      （修正有）【課題】リサイクルのパチンコ台から取得したゲ−ジ盤面の中央部に位置するディスプレ−部の窓部に写真、表札等の表示部を装着してなるパチンコ台リサイクル表示具の提供。【解決手段】ディスプレ−部８は、本来、ゲーム性を盛り上げ左右させる操作画面や情報画面等が表示されるところで窓部８３もあり、装飾も豊かであるので、当該ディスプレ−部に写真、表札等を表示させるものとを組み合わせれば、本来では捨てられてしまう当該ディスプレ−部をリサイクルできるし、延ては、パチンコ台のリサイクルにもなる。【選択図】図１
0003106049.tif 000002
【実用新案登録請求の範囲】
【請求項１】
リサイクルのパチンコ台から取得した当該パチンコ台のディスプレ−部の窓部に、写真、表札等の表示部を装着してなることを特徴とするパチンコ台リサイクル表示具。
【請求項２】
パチンコ台のディスプレ−部が、パチンコ台のゲ−ジ盤面の中央部に位置するディスプレ−部であることを特徴とする、請求項１に記載のパチンコ台リサイクル表示具。
【考案の詳細な説明】
【技術分野】
【０００１】
本考案は、パチンコ台リサイクル表示具に関し、特に、パチンコ台のリサイクルに際し取得したディスプレ−部を写真立てなどの表示具に利用する新規の技術に関するものである。
【背景技術】
【０００２】
パチンコホ−ルに設置されるパチンコ台は、顧客のニーズや他店との競合で優位に立つ等のために、斬新なゲーム性を有するべく、新台入れ替えと称して、２〜３ヶ月に一度、或いはそれよりも短いサイクルでの頻繁な交換を余儀なくされており、最近では、このサイクルが更に短くなる傾向にあり、そのリサイクル（回収、再利用）が問題となっている。
斬新なゲーム性を発揮させるには、ゲームが新調される毎に、ゲーム性を盛り上げ左右させる操作画面や情報画面等が表示されるところのパチンコ台のゲ−ジ盤面の中央部に位置するディスプレ−部や当該ディスプレ−を制御する回路基板の新調が必要であるが、通常、ゲーム機種を新規に入れ替える場合には、ゲ−ジ盤面やディスプレ−部等のようなゲーム性を左右する部品だけを変更することは困難であるので、パチンコ台の全体の新台入れ替えという事態を招来し、次から次へと異なったディスプレ−部や回路基板を有するパチンコ台が開発されてきて、そのリサイクルが問題となっている。
【考案の開示】
【考案が解決しようとする課題】
【０００３】
本考案は、上記従来技術の有する問題点を解消することができる技術を提供することを目的としたものである。
本考案の他の目的や新規な特徴については本件明細書及び図面の記載からも明らかになるであろう。
【課題を解決するための手段】
【０００４】
本考案の実用新案登録請求の範囲は、次の通りである。
（請求項１）リサイクルのパチンコ台から取得した当該パチンコ台のディスプレ−部の窓部に、写真、表札等の表示部を装着してなることを特徴とするパチンコ台リサイクル表示具。
（請求項２）パチンコ台のディスプレ−部が、パチンコ台のゲ−ジ盤面の中央部に位置するディスプレ−部であることを特徴とする、請求項１に記載のパチンコ台リサイクル表示具。
【考案の効果】
【０００５】
本考案によれば、パチンコ台のゲ−ジ盤面の中央部に位置するディスプレ−部は、本来、ゲーム性を盛り上げ左右させる操作画面や情報画面等が表示されるところで窓部もあり、装飾も豊かであるので、当該ディスプレ−部に写真、表札等を表示させるものとを組み合わせれば、本来では捨てられてしまう当該ディスプレ−部をリサイクルできるし、延ては、パチンコ台のリサイクルにもなることを知見して本考案に到達した。
【考案を実施するための最良の形態】
【０００６】
図１２に示すように、パチンコ台１は、一般に、パチンコホールの島に取り付けられる外枠２と当該外枠２に対してヒンジ機構を介して開閉自在に取り付けられる内枠３とを備えてなり、当該内枠３には、その表面側にゲージ画面４を備え、又、その下部側には、上皿５、下皿６及び操作用ハンドル７が取り付けられている。
図１２に示すように、パチンコ台１のゲ−ジ盤面４の中央部には、ディスプレ−部８が設けられており、当該パチンコ台１のゲ−ジ盤面４の中央部に位置するディスプレ−部８は、例えば、図１１に示すように、ゲーム性を盛り上げ左右させる操作画面や情報画面８０が表示される。
図１１に示すように、当該ディスプレ−部８には、動物や花などの様々な装飾８１が立体的に施されている。
図１０に示すように、当該ディスプレ−部８の裏側上部には、当該ディスプレ−を制御する回路基板９が基板装着部８２に装着されている。当該回路基板９は、コネクタ１１によりパチンコ台本体側と電気的に接続されている。
パチンコ台１のリサイクルで当該ディスプレ−部８の利用に際して、当該回路基板９やコネクタ１０を取り去ることができる。その他適宜必要に応じて除去し、逆に必要に応じて付加することもできる。
図９に示すように、当該ディスプレ−部８には、立体的な奥行きのある空間の窓部８３を有し、又、当該窓部８３を適宜調製することができる。
【０００７】
図１及び図２に示す実施例は、写真立て１２を、ディスプレ−部８の窓部８３に装着する例を示したものである。
図２に示すように、写真立て１２がディスプレ−部８の窓部８３に装着され、当該ディスプレ−部８により装飾された形態の表治具Ｈが構成される。
当該写真立て１２は、例えば、図１に示すように、額縁１２０とガラス１２１と絵柄１２２と衝立部１２３とを有してなる。
図６に示すように、写真立て１２が、ディスプレ−部８の窓部８３に装着され、写真立て１２の衝立部１２３が外部に突き出ししている。
【０００８】
図３及び図４に示す実施例は、同様に写真立て１２をディスプレ−部８の窓部８３に装着する例を示したものであるが、当該写真立て１２は、衝立部を有しない額縁１２０とガラス１２１と絵柄１２２とで構成されてなる。
図４に示すように、写真立て１２がディスプレ−部８の窓部８３に装着され、当該ディスプレ−部８により装飾された形態の表治具Ｈが構成される。
図７に示すように、衝立部を有しない写真立て１２がディスプレ−部８の窓部８３に装着されている。
【０００９】
図５に示す実施例は、表札１３をディスプレ−部８の窓部８３に装着して、表札１３を有する表治具Ｈを構成した例を示したものである。
【００１０】
本考案においてディスプレ−部の窓部に写真立て等を装着して表治具Ｈを構成する際に、例えば、図８に示すように、ディスプレ−部８のガラス８４に絵柄８５を貼付し、更に、紙８６等で当該絵柄８５の裏側を被覆するようにしてもよい。
【００１１】
本考案では、ディスプレ−部の変化に応じて適宜変更が可能である。本考案では、表治具Ｈにおいて、他の立て掛け部材を用いたり、又は、壁などに吊り下げることもできる。
【産業上の利用可能性】
【００１２】
本考案は、パチンコ台のゲ−ジ盤面の中央部に位置するディスプレ−部の他、パチンコ台の他のディスプレ−部にも適用できる。
【図面の簡単な説明】
【００１３】
【図１】本考案の実施例を示し写真立てをディスプレ−部に装着する説明図である。
【図２】本考案の実施例を示す写真立てをディスプレ−部に装着してなる表治具の説明図である。
【図３】本考案の実施例を示し写真立てをディスプレ−部に装着する説明図である。
【図４】本考案の実施例を示す写真立てをディスプレ−部に装着してなる表治具の説明図である。
【図５】本考案の実施例を示す表札をディスプレ−部に装着してなる表治具の説明図である。
【図６】本考案の実施例を示す断面図である。
【図７】本考案の他の実施例を示す断面図である。
【図８】本考案の更に他の実施例を示す断面図である。
【図９】本考案に使用されるディスプレ−部の断面図である。
【図１０】本考案に使用されるディスプレ−部の裏面図である。
【図１１】本考案に使用されるディスプレ−部の正面図である。
【図１２】パチンコ台の一例説明図である。
【符号の説明】
【００１４】
１    パチンコ台
８    ディスプレ−部
１２    写真立て
１３    表札
８３    窓部
【図１】
0003106049.tif 000003
【図２】
0003106049.tif 000004
【図３】
0003106049.tif 000005
【図４】
0003106049.tif 000006
【図５】
0003106049.tif 000007
【図６】
0003106049.tif 000008
【図７】
0003106049.tif 000009
【図８】
0003106049.tif 000010
【図９】
0003106049.tif 000011
【図１０】
0003106049.tif 000012
【図１１】
0003106049.tif 000013
【図１２】
0003106049.tif 000014